(57)【要約】【課題】葉や石のような落下物を受けるフィルタの取付作業性が良好かつコストを低廉に抑えることができる溝蓋装置を提供する。【解決手段】溝蓋装置１０は、排水溝等の溝Ｄの開口部を通水可能に塞ぐ溝蓋２０と、溝Ｄの幅方向の両側の上縁部に係止して溝蓋２０を溝Ｄに設置させる受枠３０と、溝蓋２０の下側にて受枠３０に支持されて葉や石のような落下物を受けて溝Ｄ内に流入するのを防ぐフィルタ４０とを備え、受枠３０は溝Ｄに沿って延びて、溝Ｄの幅方向の各上縁部に支持されるとともに溝蓋２０を支持する一対の支持枠部３１と、溝Ｄの幅方向に延びて溝Ｄに沿う方向の複数箇所で一対の支持枠部３１を連結する複数の連結バー３５，３６とを備え、フィルタ４０を複数の連結バー３５，３６に支持させた。【選択図】図２
2020186594.tif 000002
【特許請求の範囲】
【請求項１】
上面に開口部を有する排水溝のような溝に沿って延び、前記溝の開口部を通水可能に塞ぐ溝蓋と、
前記溝の幅方向の両側の上縁部に係止して前記溝蓋を前記溝に設置させる受枠と、
前記溝蓋の下側にて前記受枠に支持されて、前記溝蓋を通過した水を前記溝内に通水させるようにしつつ前記溝蓋を通過した葉や石のような落下物を受けて前記溝内に流入するのを防ぐフィルタとを備えた溝蓋装置であって、
前記受枠は前記溝に沿って延びて、前記溝の幅方向の各上縁部に係止されるとともに前記溝蓋を支持する一対の支持枠部と、前記溝の幅方向に延びて前記溝に沿う方向の複数箇所で一対の支持枠部を連結する複数の連結バーとを備え、
前記フィルタを前記複数の連結バーの上側に支持させたことを特徴とする溝蓋装置。
【請求項２】
請求項１に記載の溝蓋装置において、
前記支持枠部は、前記溝の幅方向の各上縁部に係止する係止部と、前記係止部における前記溝の内側から下方に延びる垂下部と、前記垂下部における下端から前記溝の内側に延びて前記溝蓋の幅方向の側縁部を支持する支持部とを備え、前記係止部と前記垂下部と前記支持部とが連続するように板金部材を折り曲げ加工したものであり、
前記受枠は前記一対の支持枠部の各支持部の下面に前記連結バーを固定して前記一対の支持枠部を一体的に連結したものであり、
前記フィルタは板金部材に多数の通水孔を形成したフィルタプレートであり、
前記フィルタプレートの板厚を前記支持枠部の板厚以下としたことを特徴とする溝蓋装置。
【発明の詳細な説明】
【技術分野】
【０００１】
本発明は、上面に開口部を有する排水溝等の溝を覆う溝蓋を備える溝蓋装置に関し、溝蓋の下側に葉や石のような落下物を受けて前記溝内に流入するのを防ぐフィルタを備えた溝蓋装置に関する。
【背景技術】
【０００２】
特許文献１には、排水溝等の溝の上面の開口部を覆うグレーチングの発明が開示されている。特許文献１の図１〜図３に示されたグレーチングは溝の上側にて水を通水させる多数の開口を有する格子状をし、グレーチングの下面には溝の幅方向の両側にて溝に沿う方向に延びる一対の脚部が設けられている。一対の脚部の互いに向かい合う内側面には水平レールが設けられており、水平レールにはグレーチングを通過する葉や石のような落下物を受けて溝内に流入するのを防ぐかごがスライド移動可能に取り付けられている。
【０００３】
また、特許文献１の図１０及び図１１に示されたグレーチングは上面及び下面が開放された浅い箱形をした直方体形状の枠に水平軸線回りに回動可能に取り付けられている。枠の内面下部にはグレーチングの幅方向の両側に角パイプよりなる受部が設けられており、グレーチングは受部によって支持されている。角パイプよりなる受部の幅方向の内側には角棒よりなる係止部が設けられており、角棒よりなる係止部にはグレーチングを通過する葉や石のような落下物を受けて溝内に流入するのを防ぐかごが着脱可能に取り付けられている。
【先行技術文献】
【特許文献】
【０００４】
【特許文献１】実用新案登録第３０９６５９９号公報
【発明の概要】
【発明が解決しようとする課題】
【０００５】
特許文献１の図１〜図３に示されたグレーチングにおいては、かごはグレーチングの下面に設けられた脚部の水平レールにスライド移動可能に取り付けられており、グレーチングを傾けた状態で溝から取り外すと、かごで受けた落下物がかごから転げ落ちるので、グレーチングを傾けることなく溝から取り外さないとならなく、かごから落下物を取り除く作業が面倒であった。また、かごは脚部の水平レールにスライド移動可能に取り付けられているため、水平レールとかごとの間に石や砂が溜まると、かごを水平レールに沿ってスライド移動させにくくなっていた。
【０００６】
また、特許文献１の図１０及び図１１に示されたグレーチングにおいては、かごは角棒よりなる係止部に係止されて支持されているが、角パイプよりなる受部の内側に角棒よりなる係止部を固定しなければならなく、部品点数及び加工工数が多くなってコストが高くなっていた。また、かごは溝の幅方向の両縁部を係止部に支持させているだけであるので、かごを幅方向に傾けて係止部に係止させようとすると、かごが係止部に係止されずに溝内に落下しやすくなっていた。本発明は、葉や石のような落下物を受けるフィルタの取付作業性が良好であるとともに、コストを低廉に抑えることができる溝蓋装置を提供することを目的とする。
【課題を解決するための手段】
【０００７】
本発明は上記課題を解決するため、上面に開口部を有する排水溝のような溝に沿って延び、溝の開口部を通水可能に塞ぐ溝蓋と、溝の幅方向の両側の上縁部に係止して溝蓋を溝に設置させる受枠と、溝蓋の下側にて受枠に支持されて、溝蓋を通過した水を溝内に通水させるようにしつつ溝蓋を通過した葉や石のような落下物を受けて溝内に流入するのを防ぐフィルタとを備えた溝蓋装置であって、受枠は溝に沿って延びて、溝の幅方向の各上縁部に係止されるとともに溝蓋を支持する一対の支持枠部と、溝の幅方向に延びて溝に沿う方向の複数箇所で一対の支持枠部を連結する複数の連結バーとを備え、フィルタを複数の連結バーの上側に支持させたことを特徴とする溝蓋装置を提供するものである。
【０００８】
上記のように構成した溝蓋装置においては、受枠は溝に沿って延びて、溝の幅方向の各上縁部に係止されるとともに溝蓋を支持する一対の支持枠部と、溝の幅方向に延びて溝に沿う方向の複数箇所で一対の支持枠部を連結する複数の連結バーとを備え、フィルタを複数の連結バーの上側に支持させたので、フィルタを連結バーの上側に置くだけで容易に着脱作業することができるだけでなく、フィルタを支持させる部材を特別に必要としないので、コストが高くなるのを防ぐことができる。
【０００９】
上記のように構成した溝蓋装置においては、支持枠部は、溝の幅方向の各上縁部に係止する係止部と、係止部における溝の内側から下方に延びる垂下部と、垂下部における下端から溝の内側に延びて溝蓋の幅方向の側縁部を支持する支持部とを備え、係止部と垂下部と支持部とが連続するように板金部材を折り曲げ加工したものであり、受枠は一対の支持枠部の各支持部の下面に連結バーを固定して一対の支持枠部を一体的に連結したものであり、フィルタは板金部材に多数の通水孔を形成したフィルタプレートであり、フィルタプレートの板厚を支持枠部の板厚以下とするのが好ましい。このようにしたときには、連結バーの上側で支持されたフィルタプレートは支持枠部の支持部より高くならないので、溝蓋が受枠でがたつくのを防ぐことができるとともに、フィルタプレートの有無によって受枠上で溝蓋の高さが変わらないようにすることができる。
【図面の簡単な説明】
【００１０】
【図１】本発明の溝蓋装置を溝に設置したときの平面図である。
【図２】図１のＡ−Ａ断面図である。
【図３】図１のＢ−Ｂ断面図である。
【図４】図１から溝蓋を取り外した状態の平面図である。
【図５】図４のＣ−Ｃ断面図である。
【図６】図１から溝蓋とフィルタプレートとを取り外した状態の平面図である。
【発明を実施するための形態】
【００１１】
以下に、本発明の溝蓋装置の一実施形態を図面を参照して説明する。図１に示したように、本発明の溝蓋装置１０は、上面に開口部を有するＵ字溝等の排水溝のような溝Ｄを開閉自在に塞ぐものであり、雨水のような水を溝Ｄ内に流入させるようにしつつ、葉や石のような落下物を受けて溝Ｄ内に流入するのを防ぐ機能を有したものである。溝蓋装置１０は、溝Ｄの上面の開口部を通水可能に塞ぐ格子状の溝蓋２０と、溝蓋２０を溝Ｄに設置させる受枠３０と、溝蓋２０の下側にて溝蓋２０を通過した葉や石のような落下物を受けて溝Ｄ内に流入するのを防ぐフィルタプレート（フィルタ）４０とを備えている。
【００１２】
図１〜図３に示したように、溝蓋２０は溝Ｄの上面の開口部を通水可能に塞ぐものであり、受枠３０に着脱可能に取り付けられている。溝蓋２０は溝Ｄの幅方向に沿って延びる複数のベアリングバー２１が溝Ｄに沿う方向で等間隔に配置され、複数のベアリングバー２１と交差する方向として溝Ｄに沿って延びる２本のクロスバー２２とを一体的に備えている。この実施形態の溝蓋２０はグレーチングと呼ばれ、複数のベアリングバー２１と２本のクロスバー２２との間に複数の開口部を備えた格子状をしている。なお、溝蓋２０はグレーチングに限られるものでなく、板状の蓋体に複数の孔部よりなる開口部を形成したものであってもよい。
【００１３】
図１、図４〜図６に示したように、受枠３０は溝Ｄの幅方向の両側の上縁部に係止して溝蓋２０を溝Ｄに設置させるものである。受枠３０は、溝Ｄに沿って延びて溝Ｄの幅方向の各上縁部に支持されるとともに溝蓋２０を支持する一対の支持枠部３１と、溝Ｄの幅方向に延びて溝Ｄに沿う方向の３箇所で一対の支持枠部３１を連結する連結バー３５，３６とを備えている。図２及び図３に示しように、支持枠部３１は、溝Ｄに沿う方向を長手方向として延びる板金部材を折り曲げ加工したものであり、溝Ｄに沿う方向と直交する方向から見て角部を直角に屈曲させたＺ字形となっている。支持枠部３１は溝Ｄの幅方向の上縁部に係止する係止部３２と、係止部３２における溝Ｄの内側から下方に延びる垂下部３３と、垂下部３３における下端から溝Ｄの内側に延びて溝蓋２０の幅方向の側縁部を支持する支持部３４とを備えている。
【００１４】
図１、図３及び図４に示したように、溝Ｄの幅方向の両側に配置された一対の支持枠部３１は３つの（複数の）連結バー３５，３６によって連結され、連結バー３５，３６は溝Ｄの幅方向に延びている。連結バー３５は溝Ｄに沿う方向の両端に配置され、連結バー３６は溝Ｄに沿う方向の中央部に配置され、これらの連結バー３５，３６は支持枠部３１の支持部３４の下面に固定されている。連結バー３５，３６は板金部材を溝Ｄの幅方向から見てＬ字形に屈曲させたものである。図１、図２、図４〜図６に示したように、溝Ｄに沿う方向の両端に配置される連結バー３５は支持部３４の下面に固着される水平部３５ａと、水平部３５ａの溝に沿う方向の外側の端部から上側に延びる鉛直部３５ｂとを備えている。水平部３５ａは一対の支持枠部３１を連結する機能と、フィルタプレート４０を支持する機能を有している。鉛直部３５ｂは受枠３０に設置した溝蓋２０が溝Ｄに沿う方向に移動するのを規制する機能を有している。図３及び図６に示したように、溝Ｄに沿う方向の中央部に配置される連結バー３６は、支持部３４の下面に固着される水平部３６ａと、水平部３６ａの溝に沿う方向の端部から下側に延びる鉛直部３６ｂとを備えている。水平部３６ａは一対の支持枠部３１を連結する機能と、フィルタプレート４０を支持する機能を有している。
【００１５】
図１及び図４に示したように、フィルタプレート（フィルタ）４０は溝蓋２０を通過した水を溝Ｄ内に通水させるようにしつつ、溝蓋２０を通過した葉や石のような落下物を受けて溝Ｄ内に流入するのを防ぐためのものである。フィルタプレート４０は受枠３０内にて連結バー３５，３６の水平部３５ａ，３６ａの上側に取り外し可能な状態で支持されている。図２及び図３に示したように、フィルタプレート４０は受枠３０の支持枠部３１、特に支持枠部３１の支持部３４の板厚よりも薄い板金部材を用いたものである。図１及び図４に示したように、フィルタプレート４０には溝Ｄ内に水を通過させる多数の通水孔４１が形成されている。通水孔４１は溝蓋装置１０を設置する場所で落下する落下物に応じた大きさとするのが好ましく、この実施形態では小石や落葉を通過させない大きさとして６ｍｍの大きさとなっている。なお、溝蓋装置１０を設置する場所に応じて、通水孔４１を大きくした、または、通水孔４１を小さくしたフィルタプレート４０を用いてもよい。
【００１６】
上記のように構成した溝蓋装置１０においては、上面に開口部を有する排水溝のようなの溝Ｄに沿って延び、溝Ｄの開口部を通水可能に塞ぐ格子状の溝蓋２０と、溝Ｄの幅方向の両側の上縁部に係止して溝蓋２０を溝Ｄに設置させる受枠３０と、溝蓋２０の下側にて受枠３０に支持されて、溝蓋２０を通過した水を溝内に通水させるようにしつつ溝蓋２０を通過した葉や石のような落下物を受けて溝Ｄ内に流入するのを防ぐフィルタプレート（フィルタ）４０とを備えている。この溝蓋装置１０においては、受枠３０は溝Ｄに沿って延びて、溝Ｄの幅方向の各上縁部に支持されるとともに溝蓋２０を支持する一対の支持枠部３１と、溝Ｄの幅方向に延びて溝Ｄに沿う方向の３箇所（複数箇所）で一対の支持枠部３１を連結する３つ（複数）の連結バー３５，３６とを備え、フィルタプレート４０を３つ（複数）の連結バー３５，３６に支持させている。
【００１７】
溝蓋２０の開口部を通過した石や葉等の落下物はフィルタプレート４０で受けられ、落下物は溝Ｄ内に落下しないようになっている。フィルタプレート４０で受けた落下物を取り除くときには、先ず溝蓋２０を受枠３０から取り外し、フィルタプレート４０で受けた石や葉等の落下物を取り除き、溝蓋２０を再び受枠３０に取り付ける。また、溝蓋を取り外した後で、必要に応じて連結バー３５，３６に支持されているフィルタプレート４０を受枠３０から取り出して、フィルタプレート４０で受けた石や葉等の落下物を取り除き、フィルタプレート４０を再び連結バー３５，３６に支持させ、溝蓋２０を受枠３０に取り付ける。このように、フィルタプレート４０を容易に着脱作業することができるだけでなく、フィルタプレート４０を支持させる部材を特別に必要としないので、コストが高くなるのを防ぐことができる。
【００１８】
また、支持枠部３１は、溝Ｄの幅方向の各上縁部に係止する係止部３２と、係止部３２における溝Ｄの内側から下方に延びる垂下部３３と、垂下部３３における下端から溝Ｄの内側に延びて溝蓋２０の幅方向の側縁部を支持する支持部３４とを備え、係止部３２と垂下部３３と支持部３４とが連続するように板金部材を折り曲げ加工したものである。この実施形態では、係止部３２と垂下部３３とが互いに直交するように折り曲げられており、垂下部３３と支持部３４とが互いに直交するように折り曲げられており、溝Ｄに沿う方向と直交する方向から見て角部を直角に屈曲させたＺ字形となっている。受枠３０は一対の支持枠部３１の各支持部３４の下面に連結バー３５，３６を固定して一対の支持枠部３１を一体的に連結したものであり、フィルタプレート４０の板厚を支持枠部３１の特に支持部３４の板厚より薄くとしている。
【００１９】
これによって、連結バー３５，３６の上側で支持されたフィルタプレート４０は支持枠部３１の支持部３４より高くならないので、溝蓋２０が受枠３０でがたつくのを防ぐことができるとともに、フィルタプレート４０の有無によって受枠３０上で溝蓋２０の高さが変わらないようにすることができる。なお、この実施形態では、フィルタプレート４０の板厚を支持枠部３１の特に支持部３４の板厚より薄くしたが、これに限られるものでなく、フィルタプレート４０の板厚を支持枠部３１の特に支持部３４の板厚と同じとしたものであっても同様の作用効果を得ることができる。
【００２０】
この実施形態の溝蓋装置１０においては、フィルタ４０には板金部材に通水孔４１を形成したフィルタプレート４０を用いたが、本発明はこれに限られるものでなく、フィルタ４０には網材を用いたものであってもよい。
【００２１】
この実施形態の溝蓋装置１０においては、一対の支持枠部３１は３つの連結バー３５，３６によって３箇所で連結されているが、本発明はこれに限られるものでなく、一対の支持枠部３１は２つまたは４つ以上の連結バーによって２箇所または４箇所以上で連結されたものであってもよい。
【符号の説明】
【００２２】
１０…溝蓋装置、２０…溝蓋、３０…受枠、３１…支持枠部、３２…係止部、３３…垂下部…、３４…支持部、３５，３６…連結バー、４０…フィルタ（フィルタプレート）、４１…通水孔、Ｄ…溝。
【図１】
2020186594.tif 000003
【図２】
2020186594.tif 000004
【図３】
2020186594.tif 000005
【図４】
2020186594.tif 000006
【図５】
2020186594.tif 000007
【図６】
2020186594.tif 000008